(57)【特許請求の範囲】
【請求項１】
電極チップを案内するガイド開口部を上下に有するカッタホルダを、カバープレートおよびハウジング内に回転自在に支持し、前記電極チップを整形するチップドレッサにおいて、
前記カバープレートの外面及び前記ハウジングのカッタホルダ挿通孔の外面まで延設した前記カッタホルダの上突出部と下突出部を、前記各カッタホルダ挿通孔に挿入するとともに、
前記カッタホルダのガイド開口部径と前記カバープレートまたは前記ハウジングのカッタホルダ挿通孔径との中間径の孔を開設した防水板を、前記カバープレートの外面および前記ハウジングの外面の少なくとも一方に、前記カッタホルダの上突出部外周面または下突出部外周面と前記各カッタホルダ挿通孔との間に生じる隙間を覆って貼着することを特徴とするチップドレッサ。
【請求項２】
前記防水板のギアボックス側端に切り込みを形成し、前記切り込みで前記防水板を略Ｌ字状に折り曲げてギアボックス側面に貼着または、折り曲げた時の弾性力を利用して密着させることを特徴とする請求項１に記載のチップドレッサ。
【発明の詳細な説明】
【０００１】
【発明の属する技術分野】
本発明は、抵抗溶接機等の電極チップを切削整形するチップドレッサに関し、特に、内部への水等の浸入を防止するチップドレッサに関する。
【０００２】
【従来の技術】
従来、抵抗溶接機等の対向する電極チップを切削整形する装置としてチップドレッサがある。チップドレッサは、油圧や電気等を駆動源としたモータによって、ギア列等を介してカッタホルダを回転させる。カッタホルダは、上下に先細り状の略円錐形のガイド開口部を有し、ガイド開口部に形成された穿孔にカッタを備える。電極チップは、ガイド開口部の上下から挿入され、カッタホルダの回転によって切削整形される。
【０００３】
図５は従来のチップドレッサ３０の部分側断面図で、（ａ）はカッタホルダ３１の装着部の側断面図、および（ｂ）は（ａ）のＢ部分の拡大図を示す。
従来のチップドレッサ３０におけるカッタホルダ３１の装着構造について説明する。カッタホルダ３１は、ギア部３１ａを前段ギア３６に噛み合わせた状態で、円筒部３１ｂがカッタホルダ用ボールベアリング３４に嵌入される。なお、カッタホルダ用ボールベアリング３４は、ハウジング３５の底部に固定されている。さらに、カバープレート３２は、一端３２ａがギアボックスカバー３３の端部切欠き部３３ａに挿入され、他端３２ｂが２本のボルト３７で固定される。このとき、カッタホルダ３１は、カッタホルダ用ボールベアリング３４を介して回転自在に支持される。そして、図示しないモータの駆動力が伝搬された前段ギア３６の回転に伴ってカッタホルダ３１が回転し、電極チップＷ，Ｗを切削整形する。
【０００４】
【発明が解決しようとする課題】
電極チップＷ，Ｗの内部には冷却水パイプが通してあるので、種々の原因によって電極抜けの事故が生じると、冷却水が飛散してチップドレッサ３０にかかるときがある。そのとき、カバープレート３２の一端３２ａとギアボックスカバー３３の端部切欠き部３３ａの隙間に沿って（Ｃ矢印方向（図５（ｂ）参照））、および、カバープレート３２とカッタホルダ３１の隙間に沿って（Ｄ矢印方向（図５（ａ）参照））水が内部に浸入する。その結果、ギアボックス３８内やカッタホルダ用ボールベアリング３４に錆が発生する。さらに、カッタホルダ用ボールベアリング３４等が固着したり、グリース劣化等の不具合を生じる。そのため、カッタホルダ３１の回転に支障をきたし、電極チップＷ，Ｗの切削整形ができなくなる。また、ギアボックス３８内に浸入した水が更にモータ部にまで浸入すると、モータの絶縁不良を招き、モータ焼損や感電事故の原因となる。
【０００５】
また、カッタホルダ３１内で発生した微細な切削切粉が、上記と同様に、カバープレート３２の一端３２ａとギアボックスカバー３３の端部切欠き部３３ａの隙間に沿って（Ｃ矢印方向）、および、カバープレート３２とカッタホルダ３１の隙間に沿って（Ｄ矢印方向）、内部に侵入する。その結果、カッタホルダ用ボールベアリング３４等の破損を引き起こす場合がある。
【０００６】
そこで、本発明の課題は、水や切粉等の内部への浸侵入を防止し、安定した切削整形が可能なチップドレッサを提供することとする。
【０００７】
【課題を解決するための手段】
前記課題を解決した本発明に係るチップドレッサは、
電極チップを案内するガイド開口部を上下に有するカッタホルダを、カバープレートおよびハウジング内に回転自在に支持し、前記電極チップを整形するチップドレッサにおいて、
前記カバープレートの外面及び前記ハウジングのカッタホルダ挿通孔の外面まで延設した前記カッタホルダの上突出部と下突出部を、前記各カッタホルダ挿通孔に挿入するとともに、
前記カッタホルダのガイド開口部径と前記カバープレートまたは前記ハウジングのカッタホルダ挿通孔径との中間径の孔を開設した防水板を、前記カバープレートの外面および前記ハウジングの外面の少なくとも一方に、前記カッタホルダの上突出部外周面または下突出部外周面と前記各カッタホルダ挿通孔との間に生じる隙間を覆って貼着することを特徴とする。
【０００８】
さらに、前記チップドレッサにおいて、
前記防水板のギアボックス側端に切り込みを形成し、前記切り込みで前記防水板を略Ｌ字状に折り曲げてギアボックス側面に貼着または、折り曲げた時の弾性力を利用して密着させることを特徴とする。
【０００９】
本発明のチップドレッサは、カッタホルダの上面をカバープレートのカッタホルダ挿通孔へ、下面をハウジングのカッタホルダ挿通孔へ挿入可能となるように、カッタホルダに上突出部および下突出部を形成する。そして、カッタホルダは、上突出部および下突出部をカバープレートおよびハウジングのカッタホルダ挿通孔に挿入した状態で、ベアリングで回転自在に支持される。さらに、防水板を、カバープレートの外面およびハウジングの外面の少なくとも一方に、カッタホルダの上突出部外周面または下突出部外周面とカバープレートまたはハウジングのカッタホルダ挿通孔との間に生じる隙間を完全に覆って貼着する。さらに、防水板を、切り込みで折り曲げて、ギアボックス側面に貼着または密着させる。その結果、カバープレートとギアボックスの端部間、および、カバープレートとカッタホルダの間に生じる隙間への水等の浸入口を完全に封鎖する。それによって、チップドレッサ内部への水や切粉等の浸侵入を防止する。
【００１０】
【発明の実施の形態】
以下に本発明に係る第１の実施の形態のチップドレッサを添付の図面を参照して説明する。図１はチップドレッサ１の部分側断面図で、（ａ）がカッタホルダ２の装着部の側断面図および（ｂ）が（ａ）のＡ部分の拡大図、図２はチップドレッサ１のカッタホルダ２の装着部の平面図、図３はチップドレッサ１のカッタホルダ２の装着部の分解斜視図である。
【００１１】
チップドレッサ１は、従来のチップドレッサに対して、モータ部やギアボックス部に特に特徴を有するものではなく、カッタホルダ２の形状を含めたカッタホルダ２の装着部の構造に特徴を有するものである。そこで、カッタホルダ２の装着部の構造および各構成要素について詳細に説明する。
【００１２】
カッタホルダ２の装着部は、カッタホルダ２、カバープレート３、ハウジング４、ギアボックスカバー５、カッタホルダ用ボールベアリング６、防水板として防水ゴム板７、ボルト８等で構成する。本発明は、上記構成要素の中でも、特に、カッタホルダ２の形状と装着状態、および、防水ゴム板７に特徴を有する。
【００１３】
カッタホルダ２について説明する。
カッタホルダ２は、略円盤形状で、外周にギア部２ａを有し、ギア部２ａの下部にカッタホルダ用ボールベアリング６に嵌入する円筒部２ｂを有する。そして、カッタホルダ２の上下に、電極チップＷ，Ｗを案内する略円錐形状の上下ガイド開口部２ｃ，２ｄを有する。上下ガイド開口部２ｃ，２ｄ間には、切削時の切粉の排出およびカッタ１１を装着するために穿孔２ｅを設ける（図２参照）。
【００１４】
さらに、カッタホルダ２をカバープレート３およびハウジング４内に格納したときに、上面２ｈおよび下面２ｉがカバープレート３およびハウジング４の外面と略同一平面となるように、カッタホルダ２の上端に上突出部２ｆおよび下端に下突出部２ｇを形成する。
【００１５】
上突出部２ｆは、ギア部２ａの上部に形成され、カバープレート３のカッタホルダ挿通孔３ａに挿入可能な円筒形状である挿入部２ｋおよび挿入部２ｋとギア部２ａ間に位置する円筒形状である段差部２ｊを有する。
挿入部２ｋの外周径は、カッタホルダ挿通孔３ａへ挿入時に回転自在となるように、カバープレートカッタホルダ挿通孔径Ｄ３より若干小さい径とする。なお、上ガイド開口部２ｃは上面２ｈまで形成されるため、カッタホルダガイド開口部径Ｄ１は、従来より大きくなる。
また、段差部２ｊは、カッタホルダ２とカバープレート３との間に生じる隙間を埋める部分となる。段差部２ｊの外周径は、カバープレートカッタホルダ挿通孔径Ｄ３より若干大きい径とする。
【００１６】
下突出部２ｇは、円筒部２ｂの下部に形成され、ハウジング４のカッタホルダ挿通孔４ａに挿入可能な円筒形状とする。下突出部２ｇの外周径は、カッタホルダ挿通孔４ａへ挿入時に回転自在となるように、ハウジングカッタホルダ挿通孔径Ｄ４より若干小さい径とする。なお、下ガイド開口部２ｄも下面２ｉまで形成されるため、カッタホルダガイド開口部径Ｄ６は、従来より大きくなる。
なお、上ガイド開口部２ｃのカッタホルダガイド開口部径Ｄ１と下ガイド開口部２ｄのカッタホルダガイド開口部径Ｄ６は、同一径とする。
【００１７】
カバープレート３について説明する。
カバープレート３は、カッタホルダ２をハウジング４にカッタホルダ用ボールベアリング６を介して格納したとき、上側の蓋体となる。カバープレート３は、略正方形の板状で、略中央にカッタホルダ挿通孔３ａを有する。また、ギアボックスカバー５側の端部３ｃをギアボックスカバー５の端部切欠き部５ａに挿入可能な長さとするとともに、挿入性向上のため、端部３ｃの外面側に面取り３ｂを形成しておく。さらに、ギアボックスカバー５の反対側の端部３ｅには、ボルト８，８が挿通するボルト孔３ｇ，３ｇを形成する（図３参照）。
【００１８】
ハウジング４について説明する。
ハウジング４は、内部にカッタホルダ２および前段ギア９等を格納する。ハウジング４の上側は、開口されていて、蓋としてカバープレート３およびギアボックスカバー５が覆設される。
【００１９】
ハウジング４のカッタホルダ２を格納する部分は、底面には、カッタホルダ２の下突出部２ｇが挿入されるカッタホルダ挿通孔４ａを形成する。さらに、内部には、カッタホルダ用ボールベアリング６を格納するベアリング格納部４ｂおよびギア部２ａを格納するギア格納部４ｃを有する。また、ボルト８，８が螺着する雌ネジ部４ｄ，４ｄを形成する（図３参照）。
【００２０】
ギアボックスカバー５について説明する。
ギアボックスカバー５は、前段ギア９等を格納したハウジング４の蓋となり、ハウジング４とともにギアボックス１０を形成する。ギアボックスカバー５は、ハウジング４の開口に覆設し、複数のボルト１２で固定される。また、ギアボックスカバー５のカバープレート３側の側面５ｂには、カバープレート３の端部３ｃを挿入させるために、端部切欠き部５ａを形成する。
【００２１】
カッタホルダ用ボールベアリング６について説明する。
カッタホルダ用ボールベアリング６は、ハウジング４のベアリング格納部４ｂに固設する。そして、カッタホルダ用ボールベアリング６は、カッタホルダ２の円筒部２ｂが嵌入され、カッタホルダ２を回転自在に支持する。
【００２２】
防水ゴム板７について説明する。
防水ゴム板７は、ゴム製の板状で、略長方形状である。防水ゴム板７の幅（図１の紙面に垂直方向）は、カバープレート３の幅と同一とし、長さ（図１の左右方向）は、カバープレート３の長さとギアボックスカバー５の側面５ｂに沿わせる長さ分を加算した長さとする。なお、防水ゴム板７の外周は、カバープレート３の外周に沿った形状としておく。さらに、防水ゴム板７の略中央に、防水ゴム板孔径Ｄ２の孔部７ａを形成する。防水ゴム板孔径Ｄ２は、カッタホルダガイド開口部径Ｄ１とカバープレートカッタホルダ挿通孔径Ｄ３の中間径とする（図２参照）。また、ギアボックスカバー５の反対側の両側に、ボルト８，８のボルト頭が挿通するボルト頭孔７ｃ，７ｃを形成する（図３参照）。
【００２３】
さらに、防水ゴム板７のカバープレート３側の面に、防水ゴム板７をカバープレート３に貼着したときにギアボックスカバー５の側面５ｂから若干離れた線上（側面５ｂから防水ゴム板７の厚さの半分程度の長さを離れ、かつ側面５ｂと平行な線上）に切り込み７ｂを入れる。なお、切り込み７ｂの深さは、防水ゴム板７の厚さの半分程度とする。
【００２４】
なお、本実施の形態では、防水板としてゴムを材料とした防水ゴム板７としたが、防水性を有する材料であれば、これに限定されるものではない。しかし、防水性のある材料の中でもゴムを材料とすることにより、ゴムの特性である弾性力を利用して、ギアボックスカバー５の側面５ｂに接着剤を使用しないで、防水ゴム板７を側面５ｂに密着させることができる。
【００２５】
カッタホルダ２の装着手順および装着構造について説明する。
まず、カッタホルダ２のギア部２ａと前段ギア９を噛み合わせた状態で、カッタホルダ２の円筒部２ｂをカッタホルダ用ベアリング６に嵌入するとともに、カッタホルダ２の下突出部２ｇをハウジング４のカッタホルダ挿通孔４ａに挿入する。
【００２６】
次に、ギアボックスカバー５は、カッタホルダ２装着の度に着脱する必要はなく、通常はハウジング４に固定されている。カバープレート３の端部３ｃを、ギアボックスカバー５の端部切欠き部５ａに挿入する。そのとき、カバープレート３のカッタホルダ挿通孔３ａにカッタホルダ２の上突出部２ｆ（挿入部２ｋ）を挿入する。さらに、カバープレート３がハウジング４に覆設された後、ボルト８，８でボルト締め固定する。
【００２７】
最後に、防水ゴム板７を、カバープレート３の外面に接着剤で貼着する。貼着する位置は、防水ゴム板７がカッタホルダ２の上突出部２ｆ（挿入部２ｋ）の外周面とカバープレート３のカッタホルダ挿通孔３ａによって生じる隙間Ｓ１を完全に覆い、かつカッタホルダ２の上ガイド開口部２ｃを全く覆わない位置とする。すなわち、防水ゴム板７が、隙間Ｓ１を全て覆い、かつ防止ゴム板７の孔部７ａの円７ｅが、上ガイド開口部２ｃの最上端の円２ｍとカバープレート３のカッタホルダ挿通孔３ａの円３ｆの間に位置する（図２参照）。そして、防水ゴム板７の切り込み７ｂに沿って、防水ゴム板７を略Ｌ字状に折り曲げて、端部７ｄをギアボックスカバー５の側面５ｂに貼着または密着させる。このとき、貼着させない場合でも、防水ゴム板７の弾性力によって、常時、端部７ｄは側面５ｂを押圧するので、端部７ｄと側面５ｂの密着性が確保される。
【００２８】
上記構成のチップドレッサ１は、カバープレート３の端部３ｃとギアボックスカバー５の端部切欠き部５ａによって生じる隙間Ｓ２の外部との入口を、防水ゴム板７で完全に封鎖する構造である（図１（ｂ）参照）。さらに、カッタホルダ２の上突出部２ｆを形成するとともに、上突出部２ｆをカバープレート３のカッタホルダ挿通孔３ａに挿入する構造とすることによって、従来のチップドレッサ３０におけるカッタホルダ３１とカバープレート３２によって生じる隙間（図５参照）を、段差部２ｊで塞ぐ構造とした。しかも、カッタホルダ２の上突出部２ｆ（挿入部２ｋ）の外周面とカバープレート３のカッタホルダ挿通孔３ａによって生じる隙間Ｓ１を、防止ゴム板７で完全に封鎖した。その結果、水や切粉等がカッタホルダ用ボールベアリング６やギアボックス１０内に浸入しない。
【００２９】
以下に本発明に係る第２の実施の形態のチップドレッサを添付の図面を参照して説明する。図４はチップドレッサ２１のカッタホルダ２の装着部の側断面図である。
【００３０】
チップドレッサ２１は、第１の実施の形態のチップドレッサ１に対して、防水ゴム板２２をハウジング４に貼着したことのみ異なる。なお、図４において、図１乃至図３中の符号と同じ符号で示す各部は、図１乃至図３で説明した構成部品と同一であるので詳細な説明は省略する。
【００３１】
防水ゴム板２２について説明する。
防水ゴム板２２は、ゴム製の板状で、略正方形状である。防水ゴム板２２の幅（図４の紙面に垂直方向）は、防水ゴム板２２の貼着箇所のハウジング４の幅と同一とし、長さ（図４の左右方向）は、ハウジングカッタホルダ挿通孔径Ｄ４より長ければよい。さらに、防水ゴム板２２の略中央に、防水ゴム板孔径Ｄ５の孔部２２ａを形成する。防水ゴム板孔径Ｄ５は、カッタホルダガイド開口部径Ｄ６とハウジングカッタホルダ挿通孔径Ｄ４の中間径とする。
【００３２】
防水ゴム板２２の装着手順について説明する。
防水ゴム板２２を、ハウジング４の外面に接着剤で貼着する。貼着する位置は、防水ゴム板２２がカッタホルダ２の下突出部２ｇの外周面とハウジング４のカッタホルダ挿通孔４ａによって生じる隙間Ｓ３を完全に覆い、かつカッタホルダ２の下ガイド開口部２ｄを全く覆わない位置とする。
【００３３】
上記構成のチップドレッサ２１は、第１の実施の形態のチップドレッサ１の構成に追加して防水ゴム板２２をハウジング４に貼着した。そのため、カッタホルダ２の下突出部２ｇの外周面とハウジング４のカッタホルダ挿通孔４ａによって生じる隙間Ｓ３を、防止ゴム板２２で完全に封鎖できる。その結果、水や切粉等がカッタホルダ用ボールベアリング６やギアボックス（図示せず）に浸侵入しない。
【００３４】
本発明は、上記の実施の形態に限定されることなく、様々な形態で実施される。
例えば、防水ゴム板とギアボックスカバーの側面間に接着剤を使用しなかったが、接着剤を使用して貼着してもよい。
【００３５】
【発明の効果】
上記のように、本発明に係るチップドレッサは、カッタホルダの構造変更と防水板の貼着のみの簡単な構成の変更で、カッタホルダ用ボールベアリングやギアボックス内部への水や切粉等の浸入を確実に防止することができる。その結果、電極冷却用の冷却水が電極抜け等の原因によって飛散し、チップドレッサにかかる可能性がある様な劣悪な環境下でも、回転駆動部の故障を招くことなく、安定した切削整形が可能となる。
また、カッタホルダを上下両方向に延設したことにともなって、カッタホルダガイド開口部径が大きくなり、角度付電極やオフセット電極等に対する切削整形が容易になり、適応範囲が拡大する。
【図面の簡単な説明】
【図１】本発明に係る第１の実施の形態のチップドレッサの部分側断面図である。
（ａ）カッタホルダの装着部の側断面図である。
（ｂ）（ａ）のＡ部分の拡大図である。
【図２】図１のチップドレッサのカッタホルダの装着部の平面図である。
【図３】図１のチップドレッサのカッタホルダの装着部の分解斜視図である。
【図４】本発明に係る第２の実施の形態のチップドレッサのカッタホルダの装着部の側断面図である。
【図５】従来のチップドレッサの部分側断面図である。
（ａ）カッタホルダの装着部の側断面図である。
（ｂ）（ａ）のＢ部分の拡大図である。
【符号の説明】
１，２１・・・チップドレッサ
２・・・カッタホルダ
３・・・カバープレート
４・・・ハウジング
５・・・ギアボックスカバー
６・・・カッタホルダ用ボールベアリング
７，２２・・・防水ゴム板
８，１２・・・ボルト
９・・・前段ギア
１０・・・ギアボックス
１１・・・カッタ
Ｄ１，Ｄ６・・・カッタホルダガイド開口部径
Ｄ２，Ｄ５・・・防水ゴム板孔径
Ｄ３・・・カバープレートカッタホルダ挿通孔径
Ｄ４・・・ハウジングカッタホルダ挿通孔径
Ｓ１，Ｓ２，Ｓ３・・・隙間
Ｗ・・・電極チップ
【図１】
0003593675.tif 000002
【図２】
0003593675.tif 000003
【図３】
0003593675.tif 000004
【図４】
0003593675.tif 000005
【図５】
0003593675.tif 000006